(57)【要約】【課題】機器において入力される画像データに対する処理の利便性を向上させること。【解決手段】情報処理システムは、機器において入力された画像データと画像データに対する処理の設定情報とユーザ情報とを受信する受信部と、受信部で受信した画像データと設定情報とユーザ情報とを対応付けて記憶する記憶部と、画像データの複製に対して、設定情報に応じた処理を実行する処理部と、ネットワークを介して受信される、設定情報の取得要求に応じ、取得要求に含まれるユーザ情報に対応付けて記憶部に記憶されている設定情報を返信する返信部とを有し、処理部は、返信部によって返信された第一の設定情報、又は第一の設定情報の一部若しくは全部が変更された第二の設定情報が受信されると、第一の設定情報に対応付けられて記憶部に記憶されている画像データの複製に対して、第一の設定情報又は第二の設定情報に応じた処理を実行する。【選択図】図４
2015039111.tif 000002
【特許請求の範囲】
【請求項１】
一以上のコンピュータを含む情報処理システムであって、
ネットワークを介して接続される機器において入力された画像データと前記画像データに対する処理の設定情報とユーザ情報とを、該機器から受信する受信部と、
前記受信部で受信した画像データと設定情報とユーザ情報とを対応付けて記憶する記憶部と、
前記画像データの複製に対して、前記設定情報に応じた処理を実行する処理部と、
ネットワークを介して受信される、前記設定情報の取得要求に応じ、前記取得要求に含まれるユーザ情報に対応付けて前記記憶部に記憶されている前記設定情報を返信する返信部とを有し、
前記処理部は、前記返信部によって返信された第一の設定情報、又は前記第一の設定情報の一部若しくは全部が変更された第二の設定情報が受信されると、前記第一の設定情報に対応付けられて前記記憶部に記憶されている前記画像データの複製に対して、受信された前記第一の設定情報又は前記第二の設定情報に応じた処理を実行すること
を特徴とする情報処理システム。
【請求項２】
前記記憶部は、前記受信部で前記画像データと前記設定情報と前記ユーザ情報とを前記機器から受信する毎に、前記画像データと前記設定情報と前記ユーザ情報とを対応付けて記憶し、
前記返信部は、前記記憶部に記憶されている設定情報のうち、前記取得要求に含まれるユーザ情報に対応付けて前記記憶部に記憶されている設定情報の一覧を返信し、
前記処理部は、前記一覧の中から選択された第一の設定情報、又は前記第一の設定情報の一部若しくは全部が変更された第二の設定情報が受信されると、前記第一の設定情報に対応付けられて前記記憶部に記憶されている前記画像データの複製に対して、受信された前記第一の設定情報又は前記第二の設定情報に応じた処理を実行すること
を特徴とする請求項１記載の情報処理システム。
【請求項３】
前記ユーザ情報は、ユーザを識別する識別情報と、該ユーザが属する組織を識別する識別情報とを含むこと
を特徴とする請求項１または２に記載の情報処理システム。
【請求項４】
一以上のコンピュータを含む情報処理システムが、
ネットワークを介して接続される機器において入力された画像データと前記画像データに対する処理の設定情報とユーザ情報とを、該機器から受信する受信手順と、
前記受信手順において受信された画像データと設定情報とユーザ情報とを対応付けて記憶部に記憶する記憶手順と、
前記画像データの複製に対して、前記設定情報に応じた処理を実行する第一の処理手順と、
ネットワークを介して受信される、前記設定情報の取得要求に応じ、前記取得要求に含まれるユーザ情報に対応付けて前記記憶部に記憶されている前記設定情報を返信する返信手順と、
前返信手順において返信された第一の設定情報、又は前記第一の設定情報の一部若しくは全部が変更された第二の設定情報が受信されると、前記第一の設定情報に対応付けられて前記記憶部に記憶されている前記画像データの複製に対して、受信された前記第一の設定情報又は前記第二の設定情報に応じた処理を実行する第二の処理手順とを実行すること
を特徴とする情報処理方法。
【請求項５】
一以上のコンピュータを含む情報処理システムに、
ネットワークを介して接続される機器において入力された画像データと前記画像データに対する処理の設定情報とユーザ情報とを、該機器から受信する受信手順と、
前記受信手順において受信された画像データと設定情報とユーザ情報とを対応付けて記憶部に記憶する記憶手順と、
前記画像データの複製に対して、前記設定情報に応じた処理を実行する第一の処理手順と、
ネットワークを介して受信される、前記設定情報の取得要求に応じ、前記取得要求に含まれるユーザ情報に対応付けて前記記憶部に記憶されている前記設定情報を返信する返信手順と、
前返信手順において返信された第一の設定情報、又は前記第一の設定情報の一部若しくは全部が変更された第二の設定情報が受信されると、前記第一の設定情報に対応付けられて前記記憶部に記憶されている前記画像データの複製に対して、受信された前記第一の設定情報又は前記第二の設定情報に応じた処理を実行する第二の処理手順とを実行させること
を特徴とする情報処理プログラム。
【発明の詳細な説明】
【技術分野】
【０００１】
本発明は、情報処理システム、情報処理方法、及び情報処理プログラムに関する。
【背景技術】
【０００２】
画像形成装置が原稿からスキャンした画像データ、又は当該画像データを加工したデータを、所定のファイルサーバ又は所定のオンラインストレージ等に保存することが行われている。具体的には、画像データは、原稿からスキャンした画像データを、所定のサーバに送信する。当該サーバは、ユーザによって設定された設定情報に応じ、当該画像データに対して、ＯＣＲ（Optical Character Recognition）等の処理を実行し、処理結果として生成されたデータを、所定のファイルサーバ又は所定のオンラインストレージ等に配信する。
【０００３】
ユーザは、ファイルサーバ又はオンラインストレージ等にアクセスすることで、処理結果のデータを確認することができる。
【発明の概要】
【発明が解決しようとする課題】
【０００４】
しかしながら、例えば、設定情報の設定ミス等により、処理結果のデータがユーザの意図したものと異なる場合が有る。このような場合、ユーザは、改めて画像形成装置に原稿をセットして、スキャン操作を実行する必要がある。また、スキャンの実行者と、処理結果の確認者とが異なる場合、当該確認者は、当該実行者に対して、再度のスキャンの実行を依頼する必要がある。
【０００５】
本発明は、上記の点に鑑みてなされたものであって、機器において入力される画像データに対する処理の利便性を向上させることを目的とする。
【課題を解決するための手段】
【０００６】
そこで上記課題を解決するため、一以上のコンピュータを含む情報処理システムは、ネットワークを介して接続される機器において入力された画像データと前記画像データに対する処理の設定情報とユーザ情報とを、該機器から受信する受信部と、前記受信部で受信した画像データと設定情報とユーザ情報とを対応付けて記憶する記憶部と、前記画像データの複製に対して、前記設定情報に応じた処理を実行する処理部と、ネットワークを介して受信される、前記設定情報の取得要求に応じ、前記取得要求に含まれるユーザ情報に対応付けて前記記憶部に記憶されている前記設定情報を返信する返信部とを有し、前記処理部は、前記返信部によって返信された第一の設定情報、又は前記第一の設定情報の一部若しくは全部が変更された第二の設定情報が受信されると、前記第一の設定情報に対応付けられて前記記憶部に記憶されている前記画像データの複製に対して、受信された前記第一の設定情報又は前記第二の設定情報に応じた処理を実行する。
【発明の効果】
【０００７】
機器において入力される画像データに対する処理の利便性を向上させることができる。
【図面の簡単な説明】
【０００８】
【図１】本発明の実施の形態における情報処理システムの構成例を示す図である。
【図２】本発明の実施の形態におけるサービス提供装置のハードウェア構成例を示す図である。
【図３】本発明の実施の形態における機器のハードウェア構成例を示す図である。
【図４】本発明の実施の形態における情報処理システムの機能構成例を示す図である。
【図５】スキャン配信サービスに関する設定情報の設定処理の処理手順の一例を説明するためのシーケンス図である。
【図６】認証登録画面の表示例を示す図である。
【図７】認証情報記憶部の構成例を示す図である。
【図８】認証キー記憶部の構成例を示す図である。
【図９】スキャン設定記憶部の構成例を示す図である。
【図１０】機器情報記憶部の構成例を示す図である。
【図１１】機器に対するスキャン設定の設定処理の処理手順の一例を説明するためのシーケンス図である。
【図１２】スキャンの実行指示に応じて実行される処理手順の一例を説明するためのシーケンス図である。
【図１３】画像記憶部の構成例を示す図である。
【図１４】ジョブ記憶部の構成例を示す図である。
【図１５】ファイル情報記憶部の構成例を示す図である。
【図１６】スキャン画像の再利用処理の処理手順の一例を説明するためのシーケンス図である。
【図１７】ジョブ一覧画面の表示例を示す図である。
【図１８】ジョブ編集画面の表示例を示す図である。
【発明を実施するための形態】
【０００９】
以下、図面に基づいて本発明の実施の形態を説明する。図１は、本発明の実施の形態における情報処理システムの構成例を示す図である。図１に示される情報処理システム１において、サービス提供環境Ｅ２、ユーザ環境Ｅ１、及びオンラインストレージシステム４０等は、インターネット等の広域的なネットワークを介して通信可能とされている。
【００１０】
サービス提供環境Ｅ２は、ネットワークを介してクラウドサービスを提供する組織におけるシステム環境である。なお、本実施の形態では、クラウドサービスを具体例に採用して説明するが、ＡＳＰ（Application Service Provider）によって提供されるサービスやＷｅｂサービス等、ネットワークを介して提供されるサービスに関して、本実施の形態が適用されてもよい。
【００１１】
サービス提供環境Ｅ２は、サービス提供装置２０を有する。サービス提供装置２０は、ネットワークを介して所定のサービスを提供する一以上のコンピュータである。サービス提供装置２０が提供するサービスの一つとして、「スキャン配信サービス」が有る。本実施の形態では、スキャン配信サービスに関して説明する。スキャン配信サービスとは、ユーザ環境Ｅ１の機器１０においてスキャンされた画像データを、予め設定された配信先に配信するサービスをいう。なお、サービス提供装置２０は、ユーザ環境Ｅ１に設置されてもよい。すなわち、サービス提供環境Ｅ２は、ユーザ環境Ｅ１に包含されてもよい。
【００１２】
ユーザ環境Ｅ１は、機器１０の企業ユーザ等の組織におけるシステム環境である。ユーザ環境Ｅ１において、一以上の機器１０と一以上のユーザ端末３０とはＬＡＮ（Local Area Network）等のネットワークを介して接続されている。
【００１３】
本実施の形態の機器１０は、スキャン機能を有する画像形成装置である。スキャン機能以外に、印刷、コピー、又はファクス（ＦＡＸ）通信等の機能を有する複合機が機器１０として用いられてよい。但し、デジタルカメラ、携帯電話、スマートフォン、又はタブレット型端末等、画像を入力可能な機器が、機器１０として利用されてもよい。
【００１４】
ユーザ端末３０は、ユーザ環境Ｅ１における機器１０のユーザや管理者等が使用する端末である。ユーザ端末３０の一例として、ＰＣ（Personal Computer）、ＰＤＡ（Personal Digital Assistance）、タブレット型端末、スマートフォン、又は携帯電話等が挙げられる。
【００１５】
オンラインストレージシステム４０は、ネットワークを介してオンラインストレージと呼ばれるクラウドサービスを提供するコンピュータシステムである。オンラインストレージとは、ストレージの記憶領域を貸し出すサービスである。本実施の形態において、オンラインストレージによって貸し出される記憶領域は、サービス提供装置２０によって提供されるスキャン配信サービスにおいて、画像データの配信先の候補となる。
【００１６】
図２は、本発明の実施の形態におけるサービス提供装置のハードウェア構成例を示す図である。図２のサービス提供装置２０は、それぞれバスBで相互に接続されているドライブ装置２００と、補助記憶装置２０２と、メモリ装置２０３と、ＣＰＵ２０４と、インタフェース装置２０５とを有する。
【００１７】
サービス提供装置２０での処理を実現するプログラムは、ＣＤ−ＲＯＭ等の記録媒体２０１によって提供される。プログラムを記憶した記録媒体２０１がドライブ装置２００にセットされると、プログラムが記録媒体２０１からドライブ装置２００を介して補助記憶装置２０２にインストールされる。但し、プログラムのインストールは必ずしも記録媒体２０１より行う必要はなく、ネットワークを介して他のコンピュータよりダウンロードするようにしてもよい。補助記憶装置２０２は、インストールされたプログラムを格納すると共に、必要なファイルやデータ等を格納する。
【００１８】
メモリ装置２０３は、プログラムの起動指示があった場合に、補助記憶装置２０２からプログラムを読み出して格納する。ＣＰＵ２０４は、メモリ装置２０３に格納されたプログラムに従ってサービス提供装置２０に係る機能を実行する。インタフェース装置２０５は、ネットワークに接続するためのインタフェースとして用いられる。
【００１９】
なお、サービス提供装置２０は、図２に示されるようなハードウェアを有する複数のコンピュータによって構成されてもよい。すなわち、後述においてサービス提供装置２０が実行する処理は、複数のコンピュータに分散されて実行されてもよい。
【００２０】
図３は、本発明の実施の形態における機器のハードウェア構成例を示す図である。図３において、機器１０は、コントローラ１１、スキャナ１２、プリンタ１３、モデム１４、操作パネル１５、ネットワークインタフェース１６、及びＳＤカードスロット１７等のハードウェアを有する。
【００２１】
コントローラ１１は、ＣＰＵ１１１、ＲＡＭ１１２、ＲＯＭ１１３、ＨＤＤ１１４、及びＮＶＲＡＭ１１５等を有する。ＲＯＭ１１３には、各種のプログラムやプログラムによって利用されるデータ等が記憶されている。ＲＡＭ１１２は、プログラムをロードするための記憶領域や、ロードされたプログラムのワーク領域等として用いられる。ＣＰＵ１１１は、ＲＡＭ１１２にロードされたプログラムを処理することにより、各種の機能を実現する。ＨＤＤ１１４には、プログラムやプログラムが利用する各種のデータ等が記憶される。ＮＶＲＡＭ１１５には、各種の設定情報等が記憶される。
【００２２】
スキャナ１２は、原稿より画像データを読み取るためのハードウェア（画像読取手段）である。プリンタ１３は、印刷データを印刷用紙に印刷するためのハードウェア（印刷手段）である。モデム１４は、電話回線に接続するためのハードウェアであり、ＦＡＸ通信による画像データの送受信を実行するために用いられる。操作パネル１５は、ユーザからの入力の受け付けを行うためのボタン等の入力手段や、液晶パネル等の表示手段等を備えたハードウェアである。ネットワークインタフェース１６は、ＬＡＮ等のネットワーク（有線又は無線の別は問わない。）に接続するためのハードウェアである。ＳＤカードスロット１７は、ＳＤカード８０に記憶されたプログラムを読み取るために利用される。すなわち、機器１０では、ＲＯＭ１１３に記憶されたプログラムだけでなく、ＳＤカード８０に記憶されたプログラムもＲＡＭ１１２にロードされ、実行されうる。なお、他の記録媒体（例えば、ＣＤ−ＲＯＭ又はＵＳＢ（Universal Serial Bus）メモリ等）によってＳＤカード８０が代替されてもよい。すなわち、ＳＤカード８０の位置付けに相当する記録媒体の種類は、所定のものに限定されない。この場合、ＳＤカードスロット１７は、記録媒体の種類に応じたハードウェアによって代替されればよい。
【００２３】
図４は、本発明の実施の形態における情報処理システムの機能構成例を示す図である。図４において、サービス提供装置２０は、ＷｅｂＵＩ部２１、サーバアプリ２２、認証キー登録部２３、スキャン設定管理部２４、画像登録部２５、ジョブ登録部２６、及びデータ処理部２７等を有する。これらは、サービス提供装置２０にインストールされる一以上のプログラムが、ＣＰＵ２０４に実行させる処理により実現される。サービス提供装置２０は、また、認証キー記憶部２１１、スキャン設定記憶部２１２、機器情報記憶部２１３、ジョブ記憶部２１５、及び画像記憶部２１４等を利用する。これら各記憶部は、補助記憶装置２０２、又はサービス提供装置２０にネットワークを介して接続される記憶装置等を用いて実現可能である。
【００２４】
ＷｅｂＵＩ部２１は、ネットワークを介して、Ｗｅｂページを介したユーザインタフェースを提供する。本実施の形態において、ＷｅｂＵＩ部２１は、ユーザ端末３０に対し、Ｗｅｂページを介したユーザインタフェースを提供する。
【００２５】
サーバアプリ２２は、スキャン配信サービスを実現するための処理のうち、サーバ側の処理を実行する。すなわち、サーバアプリ２２、機器１０、及びオンラインストレージシステム４０の連携によって、スキャン配信サービスは完結されるところ、サーバアプリ２２は、スキャン配信サービスの一部の処理の処理制御を行う。
【００２６】
認証キー登録部２３は、オンラインストレージシステム４０に対するアクセス権限を識別するためのトークン（以下、「認証キー」という。）を、オンラインストレージシステム４０ごとに、ユーザの識別情報に対応付けて認証キー記憶部２１１に登録する。サービス提供装置２０において、ユーザは、組織ＩＤ及びユーザＩＤの組み合わせによって識別される。組織ＩＤは、ユーザ環境Ｅ１ごと、すなわち、サービス提供装置２０が提供するサービスを利用する企業ユーザ等の組織ごとに割り当てられる識別子である。但し、一つの企業を構成する一つの部署が、一つの組織に対応付けられてもよい。組織がどのような概念に対応付けられるかは、ユーザ等の任意である。したがって、組織は、企業に関する組織でなくてもよく、任意の団体又はサークル等であってもよい。また、一人が構成する組織であってもよい。ユーザＩＤは、組織内において、各ユーザを識別可能な識別情報である。
【００２７】
スキャン設定管理部２４は、組織ＩＤに対応付けて（すなわち、組織ごとに）、スキャン配信サービスに対する設定情報（以下、「スキャン設定」という。）を、スキャン設定記憶部２１２に登録する。また、スキャン設定管理部２４は、スキャン設定の取得要求に応じ、スキャン設定記憶部２１２に登録されているスキャン設定を返信する。画像登録部２５は、機器１０においてスキャンされた画像データを、画像記憶部２１４に記憶する。
【００２８】
ジョブ登録部２６は、スキャン配信サービスの実行単位ごと（ジョブごと）に、当該ジョブの要求元の識別情報及び当該ジョブに対するスキャン設定の内容等を含むジョブ情報をジョブ記憶部２１５に登録する。
【００２９】
データ処理部２７は、スキャン配信サービスにおいて処理対象とされたデータに関して、変換処理又は配信処理等を実行する。図４では、ＯＣＲ処理部２７１、翻訳処理部２７２、及び配信処理部２７３等が、データ処理部２７の一例として示されている。ＯＣＲ処理部２７１は、処理対象とされた画像データに対し、スキャン設定において指定されたＯＣＲ（Optical Character Recognition）処理を実行し、テキストデータ（文字列データ）を出力する。翻訳処理部２７２は、処理対象とされたデータが示す文章について、スキャン設定において指定された翻訳処理を実行し、翻訳結果のテキストデータを出力する。配信処理部２７３は、処理対象のデータを、スキャン設定において指定された配信先に係るオンラインストレージサービス４０に配信（送信）する。
【００３０】
機器情報記憶部２１３は、各機器１０について、組織及びスキャン設定との対応付けを記憶する。
【００３１】
機器１０は、機器アプリ１２１及び情報転送部１２２等を有する。これら各部は、機器１０にインストールされたプログラムが、ＣＰＵ１１１に実行させる処理により実現される。機器１０は、また、機器設定記憶部１２３を有する。機器設定記憶部１２３は、例えば、ＨＤＤ１１４等を用いて実現可能である。
【００３２】
機器アプリ１２１は、スキャン配信サービスにおいて機器１０側の処理を実行する。すなわち、機器アプリ１２１は、原稿からの画像データのスキャン、及びサービス提供装置２０への当該画像データの転送等に関する処理を制御する。情報転送部１２２は、機器１０からサービス提供装置２０への情報転送を行う。例えば、情報転送部１２２は、スキャンされた画像データの転送を行う。機器設定記憶部１２３は、当該機器１０が属する組織に対して設定されたスキャン設定を記憶する。すなわち、スキャン設定記憶部２１２に登録されたスキャン設定は、機器設定記憶部１２３に反映される。
【００３３】
オンラインストレージシステム４０は、ＷｅｂＵＩ部４１及びファイル登録部４２等を有する。これら各部は、オンラインストレージシステム４０にインストールされたプログラムが、オンラインストレージシステム４０のＣＰＵに実行させる処理により実現される。オンラインストレージシステム４０は、また、認証情報記憶部４３及びファイル情報記憶部４４等を有する。これら各記憶部は、オンラインストレージシステム４０を構成する記憶装置を用いて実現可能である。
【００３４】
ＷｅｂＵＩ部４１は、ネットワークを介して、Ｗｅｂページを介したユーザインタフェースを提供する。本実施の形態において、ＷｅｂＵＩ部４１は、ユーザ端末３０に対し、Ｗｅｂページを介したユーザインタフェースを提供する。ファイル登録部４２は、配信されたデータを格納するファイルを、オンラインストレージサービス４０の記憶装置に記憶（保存）する。ファイル情報記憶部４４は、各ファイルの書誌情報を記憶する。認証情報記憶部４３は、当該オンラインストレージシステム４０のユーザの認証情報を記憶する。
【００３５】
ユーザ端末３０は、ブラウザ部３１を有する。ブラウザ部３１は、例えば、Ｗｅｂブラウザプログラムが、ユーザ端末３０のＣＰＵに実行させる処理により実現される。すなわち、ブラウザ部３１は、ＷｅｂＵＩ部２１又はＷｅｂＵＩ部４１により提供されるＷｅｂページの表示や、当該Ｗｅｂページに対する入力に応じた処理等を実行する。
【００３６】
以下、情報処理システム１が実行する処理手順について説明する。図５は、スキャン配信サービスに関する設定情報の設定処理の処理手順の一例を説明するためのシーケンス図である。
【００３７】
図５において、ステップＳ１０１〜Ｓ１１５は、オンラインストレージサービス４０へのデータの配信時に、サービス提供装置２０が、ユーザによる権限で、オンラインストレージサービス４０にアクセス可能とするための設定処理である。当該設定処理では、ＯＡｕｔｈ認証と同様の方法が利用される。但し、他の方法が利用されてもよい。なお、図５の処理の開始前において、ユーザは、例えば、組織ＩＤ、ユーザＩＤ、及びパスワードに基づいて、サービス提供装置２０にログインしていることとする。サービス提供装置２０は、ログインユーザの組織ＩＤ（以下、「ログイン組織ＩＤ」という。）又はログインユーザのユーザＩＤ（以下、「ログインユーザＩＤ」とういう。）を、ブラウザ部３１とのセッションに対応付けて記憶している。
【００３８】
ステップＳ１０１において、ユーザ端末３０のブラウザ部３１は、ユーザからの指示入力に応じ、認証登録画面の取得要求を、ＷｅｂＵＩ部２１に送信する。ＷｅｂＵＩ部２１は、当該取得要求に応じ、認証登録画面を表示させるＷｅｂページを返信する（Ｓ１０２）。ブラウザ部３１は、当該Ｗｅｂページに基づいて、認証登録画面を表示させる。
【００３９】
図６は、認証登録画面の表示例を示す図である。図６に示されるように、認証登録画面５１０には、配信先の候補として登録されているオンラインストレージシステム４０ごとに、その識別名（以下、「サービス名」という。）及び設定ボタン５１１等が配置されている。各設定ボタン５１１には、ログイン組織ＩＤ、ログインユーザＩＤ、及びサービス提供装置２０の認証キー登録部２３に対するＵＲＬ（Uniform Resource Locator）と、当該設定ボタン５１１に対応するオンラインストレージシステム４０に対するＵＲＬと等が関連付けられている。
【００４０】
ユーザによって、いずれかの設定ボタン５１１が選択されると、ブラウザ部３１は、選択された設定ボタン５１１に係るオンラインストレージシステム４０のＵＲＬ（以下、「サービスＵＲＬ」という。）、ログイン組織ＩＤ、及びログインユーザＩＤ等を指定して、当該オンラインストレージシステム４０に関する認証情報の登録要求を送信する（Ｓ１０３）。ＷｅｂＵＩ部２１は、当該登録要求に応じ、サービスＵＲＬをリダイレクト先とする、当該登録要求のリダイレクト命令を含む応答を返信する（Ｓ１０４）。当該リダイレクト命令には、サービスＵＲＬに加え、ログイン組織ＩＤ及びログインユーザＩＤ、認証キー登録部２３のＵＲＬが指定される。
【００４１】
ブラウザ部３１は、当該リダイレクト命令に従って、認証情報の登録要求を、サービスＵＲＬに係るオンラインストレージシステム４０のＷｅｂＵＩ部４１へリダイレクトする（Ｓ１０５）。当該登録要求には、ログイン組織ＩＤ、ログインユーザＩＤ、及び認証キー登録部２３のＵＲＬが指定される。ＷｅｂＵＩ部４１は、当該登録要求に応じ、サービス提供装置２０から当該オンラインストレージシステム４０へのアクセスの許否をユーザに問い合わせるＷｅｂページを、ブラウザ部３１に返信する（Ｓ１０６）。ブラウザ部３１は、当該Ｗｅｂページを表示させる。当該Ｗｅｂページを介して、ユーザによって、当該アクセスを許可する旨が入力され、更に、当該オンラインストレージシステム４０に対するアカウント情報（例えば、ユーザＩＤ及びパスワード等）が入力されると、ブラウザ部３１は、当該アクセスの許可を示す情報、及び当該アカウント情報をＷｅｂＵＩ部４１に送信する（Ｓ１０７）。なお、当該アカウント情報は、オンラインストレージシステム４０に対して予め登録されているアカウント情報であり、ログインユーザＩＤに一致するとは限らない。
【００４２】
ＷｅｂＵＩ部４１は、当該アカウント情報が正当であれば、当該アカウント情報を構成するユーザＩＤに対応する、認証キーを、認証情報記憶部４３より取得する（Ｓ１０８、Ｓ１０９）。
【００４３】
図７は、認証情報記憶部の構成例を示す図である。図７において、認証情報記憶部４３は、当該認証情報記憶部４３の属するオンラインストレージサービス４０のユーザごとに、ユーザＩＤ及び認証キーを対応付けて記憶する。認証キーは、ユーザごとに異なる。なお、認証キーは、ステップＳ１０８のタイミングで生成されてもよい。
【００４４】
続いて、ＷｅｂＵＩ部４１は、ステップＳ１０５において指定されていたログイン組織ＩＤ、ログインユーザＩＤ、及び当該オンラインストレージシステム４０のサービス名、並びに認証キーを指定して、認証キーの登録要求を、認証キー登録部２３のＵＲＬ宛に送信する（Ｓ１１０）。認証キー登録部２３のＵＲＬは、ステップＳ１０５において指定されている。
【００４５】
認証キー登録部２３は、当該登録要求に指定されているログイン組織ＩＤ、ログインユーザＩＤ、サービス名、及び認証キー等を対応付けて、認証キー記憶部２１１に記憶し（Ｓ１１１）、応答をＷｅｂＵＩ部４１に返信する（Ｓ１１２）。
【００４６】
図８は、認証キー記憶部の構成例を示す図である。図８において、認証キー記憶部２１１は、組織ＩＤ及びユーザＩＤに対応付けて、配信先名及び認証キー等を記憶する。配信先名は、配信先のオンラインストレージサービス４０のサービス名である。認証キーは、当該オンラインストレージサービス４０より発行された認証キーである。
【００４７】
続いて、ＷｅｂＵＩ部４１は、サービス提供装置２０をリダイレクト先とするリダイレクト命令を含む応答を、ブラウザ部３１に返信する（Ｓ１１３）。ブラウザ部３１が、当該リダイレクト命令に従って、ステップＳ１０１と同様の要求をＷｅｂＵＩ部２１に送信すると（Ｓ１１４）、ＷｅｂＵＩ部２１は、ステップＳ１０２と同様の応答を返信する（Ｓ１１５）。その結果、ユーザ端末３０には、認証登録画面５１０が再び表示される。ユーザは、引き続き、他のオンラインストレージサービス４０について、認証情報の登録処理を実行することができる。
【００４８】
続いて、ユーザは、スキャン設定の設定作業を行う。なお、ステップＳ１２１以降は、ステップＳ１０１〜Ｓ１１５に続いて（同一のセッションにおいて）行われなくてもよい。但し、ステップＳ１２１以降において、ユーザは、サービス提供装置２０にログインしている状態であるとする。すなわち、ステップＳ１２１以降において、ログイン組織ＩＤ及びログインユーザＩＤは、サービス提供装置２０にとって既知であるとする。
【００４９】
ステップＳ１２１において、ブラウザ部３１は、ユーザによる指示に応じ、スキャン設定画面の取得要求をＷｅｂＵＩ部２１に送信する（Ｓ１２１）。ＷｅｂＵＩ部２１は、当該取得要求に応じ、スキャン設定画面を表示させるＷｅｂページを返信する（Ｓ１２２）。ブラウザ部３１は、当該Ｗｅｂページに基づいて、スキャン設定画面を表示させる。
【００５０】
ユーザは、スキャン設定画面を介してスキャン設定の設定を行う（Ｓ１２３）。スキャン設定画面では、例えば、色、解像度、文書種類、ＯＣＲ言語、文書名、配信先、及びフォルダ名等の項目について設定が可能とされる。
【００５１】
配信先は、スキャンされた画像データ又は当該画像データに対する何らかの処理フローの実行結果（以下、「配信データ」という。）の配信先とするオンラインストレージシステム４０のサービス名を示す項目である。フォルダ名は、配信先において配信データの保存先とするフォルダの名前を示す項目である。色は、カラースキャンかモノクロスキャンかを示す項目である。解像度は、スキャン時の解像度を示す項目である。文書種類は、処理対象とされたデータの最終的なデータ形式を示す項目である。最終的なデータ形式とは、配信時のデータ形式をいう。ＯＣＲ言語は、スキャン画像に対してＯＣＲを実行する場合に、ＯＣＲの対象とする言語を示す項目である。文書名は、最終的なデータを格納するファイルの名前（ファイル名）の命名規則を示す項目である。本実施の形態では、「日付」、「固定値」、又は「スキャン時入力」の選択肢がある。「日付」は、スキャンが実行された日付及び時間に基づいて、ファイル名が命名されることを示す。「固定値」は、例えば、スキャン設定画面において入力される文字列が、固定的にファイル名として利用ことを示す。「スキャン時入力」は、スキャンの実行時に入力される文字列が、ファイル名として利用されることを示す。
【００５２】
スキャン設定画面を介して、ユーザによるスキャン設定の設定が完了し、スキャン設定の登録指示が入力されると、ブラウザ部３１は、設定されたスキャン設定を指定して、スキャン設定の登録要求をスキャン設定管理部２４に送信する（Ｓ１２４）。スキャン設定管理部２４は、当該登録要求に指定されたスキャン設定を、スキャン設定記憶部２１２に登録する（Ｓ１２５）。
【００５３】
図９は、スキャン設定記憶部の構成例を示す図である。図９において、スキャン設定記憶部２１２は、各スキャン設定に、設定ＩＤ及び組織ＩＤを対応付けて記憶する。設定ＩＤは、例えば、自動的に割り当てられる。組織ＩＤには、ログイン組織ＩＤが記憶される。
【００５４】
続いて、ユーザは、各機器１０と各スキャン設定とを対応付けるための作業を行う。なお、ステップＳ１３１以降は、ステップＳ１２１〜Ｓ１２５に続いて（同一のセッションにおいて）行われなくてもよい。但し、ステップＳ１３１以降において、ユーザは、サービス提供装置２０にログインしている状態であるとする。すなわち、ステップＳ１３１以降において、ログイン組織ＩＤ及びログインユーザＩＤは、サービス提供装置２０にとって既知であるとする。
【００５５】
ステップＳ１３１において、ブラウザ部３１は、ユーザによる指示に応じ、機器設定画面の取得要求を、ＷｅｂＵＩ部２１に送信する。ＷｅｂＵＩ部２１は、当該取得要求に応じ、ログイン組織ＩＤに対応付けられているスキャン設定の一覧を、スキャン設定記憶部２１２より取得する（Ｓ１３２、Ｓ１３３）。続いて、ＷｅｂＵＩ部２１は、ログイン組織ＩＤに対応付けられている機器情報を、機器情報記憶部２１３より取得する（Ｓ１３４、Ｓ１３５）。
【００５６】
図１０は、機器情報記憶部の構成例を示す図である。図１０において、機器情報記憶部２１３は、各ユーザ環境Ｅ１の機器１０ごとに、機器ＩＤ、組織ＩＤ、機体番号、及び設定ＩＤ等を記憶する。
【００５７】
機器ＩＤは、機器情報記憶部２１３の各レコードの識別情報である。組織ＩＤは、当該レコードに係る機器１０を利用する組織の組織ＩＤである。機体番号は、当該機器１０の機体（個体）の識別情報である。例えば、製造番号又はシリアル番号等が、機体番号として利用されてもよい。設定ＩＤは、当該レコードに係る機器１０に対応付けられているスキャン設定の設定ＩＤである。
【００５８】
なお、図１０では、便宜上、全てのレコードに設定ＩＤが登録されているが、例えば、組織ＩＤが「Ｒ」である企業に係るユーザが、現在のログインユーザである場合、組織ＩＤが「Ｒ」であるレコードのスキャン設定の値は空である。
【００５９】
ステップＳ１３５では、ログイン組織ＩＤに対応付けられた機器ＩＤ及び機体番号を含む機器情報の一覧が、取得されればよい。
【００６０】
続いて、ＷｅｂＵＩ部２１は、取得された機器情報の一覧と、スキャン設定の一覧とに基づいて、機器設定画面を表示させるＷｅｂページを生成し、当該Ｗｅｂページを、ブラウザ部３１に返信する（Ｓ１３６）。ブラウザ部３１は、当該Ｗｅｂページに基づいて、機器設定画面を表示させる。
【００６１】
機器設定画面上は、当該画面の生成に利用された機器情報の一覧に係る各機器１０と、当該画面の生成に利用されたスキャン設定の一覧に含まれる各スキャン設定との対応付けを設定可能であれば、どのような構成を有していてもよい。例えば、機器１０ごとに、スキャン設定を選択させるリストボックスが配置されていてもよい。
【００６２】
ユーザによって、機器設定画面を介して、機器１０とスキャン設定との対応付けが設定されると、ブラウザ部３１は、対応付けられた機器１０とスキャン設定との組に係る機器ＩＤ及び設定ＩＤが指定された登録要求を、機器情報記憶部２１３に送信する（Ｓ１３７）。その結果、機器情報記憶部２１３において、当該機器ＩＤに係るレコードに対して、当該設定ＩＤが登録される。なお、複数の組の対応付けが一度に登録されてもよい。
【００６３】
続いて、サービス提供装置２０に設定された、機器１０とスキャン設定との対応付けに基づいて、機器１０に対してスキャン設定を反映するための処理手順について説明する。
【００６４】
図１１は、機器に対するスキャン設定の設定処理の処理手順の一例を説明するためのシーケンス図である。
【００６５】
機器１０の機器アプリ１２１は、例えば、定期的なポーリングによって、当該機器１０の機体番号を指定して、スキャン設定の取得要求をスキャン設定管理部２４に送信する（Ｓ２０１）。なお、機体番号は、例えば、ＲＯＭ１１３に記憶されている。
【００６６】
スキャン設定管理部２４は、指定された機体番号に対応付いている設定ＩＤを、機器情報記憶部２１３より取得する（Ｓ２０２、Ｓ２０３）。なお、該当する設定ＩＤが取得されない場合、ステップＳ２０４及びＳ２０５は実行されずに、ステップＳ２０６において、スキャン設定が無いことを示す応答が返信される。
【００６７】
該当する設定ＩＤが取得された場合、スキャン設定管理部２４は、当該設定ＩＤに対応付いているスキャン設定を、スキャン設定記憶部２１２より取得する（Ｓ２０４、Ｓ２０５）。スキャン設定管理部２４は、取得されたスキャン設定を、機器アプリ１２１に返信する（Ｓ２０６）。機器アプリ１２１は、返信されたスキャン設定を、機器設定記憶部１２３に記憶する（Ｓ２０７）。
【００６８】
以上によって、スキャン配信サービスを利用するための準備は整う。そこで、ユーザが、操作パネル１５を介して、機器アプリ１２１の利用指示を入力すると（Ｓ２１１）、機器アプリ１２１に対して設定画面の表示が要求される（Ｓ２１２）。機器アプリ１２１は、当該要求に応じ、ステップＳ２０７において記憶されているスキャン設定を機器設定記憶部１２３より取得する（Ｓ２１３、Ｓ２１４）。続いて、機器アプリ１２１は、取得されたスキャン設定が初期値として設定された設定画面を生成する（Ｓ２１５）。操作パネル１５は、当該設定画面を表示させる（Ｓ２１６）。ユーザは、当該設定画面を介して、スキャン設定の編集（例えば、一部又は全部の項目の値の変更等）を行うことができる（Ｓ２１７）。
【００６９】
続いて、機器１０に原稿がセットされた状態で、ユーザは、スキャンの実行指示を操作パネル１５を介して入力する（Ｓ２１８）。
【００７０】
続いて、ユーザによるスキャンに実行指示に応じて実行される処理手順について説明する。図１２は、スキャンの実行指示に応じて実行される処理手順の一例を説明するためのシーケンス図である。図１２中、図１１と同一ステップには、同一ステップ番号が付されている。
【００７１】
ユーザによって操作パネル１５を介したスキャンの実行指示に応じ（Ｓ２１８）、機器アプリ１２１に対してスキャンの実行要求が入力される（Ｓ２２１）。機器アプリ１２１は、設定画面に設定されているスキャン設定に従って、スキャン配信ジョブを実行する（Ｓ２２２）。その結果、原稿から画像が読み取られ、当該画像を示す画像データ（スキャン画像）が生成される。なお、当該スキャン設定は、設定画面において編集されている場合、機器１０に保存されているスキャン設定とは異なりうる。
【００７２】
続いて、機器アプリ１２１は、スキャン画像の転送を、情報転送部１２２に要求する（Ｓ２２３）。情報転送部１２２は、画像登録部２５に対し、スキャン画像を転送する（Ｓ２２４）。なお、スキャン画像の転送に伴って、機器１０のユーザの組織ＩＤ及びユーザＩＤ、並びに機器１０の機体番号も送信される。画像登録部２５は、スキャン画像を、画像記憶部２１４に記憶する。
【００７３】
図１３は、画像記憶部の構成例を示す図である。図１３において、画像記憶部２１４は、画像ＩＤに対応付けて、スキャン画像を記憶する。図１３では、スキャン画像の実体が登録されている例が示されているが、画像ＩＤに対応付けられて記憶される値は、スキャン画像を格納するファイルのパス名であってもよい。
【００７４】
なお、画像ＩＤは、例えば、画像登録部２５によってスキャン画像ごとに割り当てられる識別情報である。
【００７５】
続いて、画像登録部２５は、新たに記憶されたスキャン画像に対する画像ＩＤを、情報転送部１２２に返信する（Ｓ２２５）。情報転送部１２２は、当該画像ＩＤを、機器アプリ１２１に通知する（Ｓ２２６）。
【００７６】
続いて、機器アプリ１２１は、当該画像ＩＤと、スキャン配信ジョブの実行に利用されたスキャン設定（以下、「ジョブ情報」という。）と、スキャンを実行した当該機器１０の機体番号と、当該機器１０が属する組織の組織ＩＤと、ユーザのユーザＩＤとを指定して、ジョブ登録部２６に対し、ジョブ情報の登録要求を送信する（Ｓ２３１）。なお、組織ＩＤ及びユーザＩＤは、例えば、機器アプリ１２１の利用開始時において、ユーザによって入力される。
【００７７】
ジョブ登録部２６は、当該ジョブ情報を、画像ＩＤ、組織ＩＤ、及びユーザＩＤに対応付けて、ジョブ記憶部２１５に記憶する（Ｓ２３２）。その結果、当該ジョブ情報に対して、ジョブＩＤが割り当てられる（Ｓ２３３）。ジョブＩＤは、スキャン配信ジョブごとの識別情報である。
【００７８】
図１４は、ジョブ記憶部の構成例を示す図である。ジョブ記憶部２１５は、ジョブＩＤ、組織ＩＤ、ユーザＩＤ、及び機器ＩＤに対応付けて、ジョブ情報を記憶する。ジョブ情報を構成する項目は、スキャン設定の項目とほぼ、同様である。図１４では、更に、スキャン配信ジョブの実行日時を記憶する項目が追加されている。組織ＩＤ及びユーザＩＤには、ステップＳ２３１において受信される組織ＩＤ及びユーザＩＤが記憶される。機器ＩＤは、ステップＳ２３１において受信される機体番号に対応する機器ＩＤが記憶される。機体番号に対応する機器ＩＤとは、機器情報記憶部２１３において当該機体番号が記憶されているレコードの機器ＩＤである。
【００７９】
なお、ジョブ情報は、スキャン画像と共に、ステップＳ２２４において送信されてもよい。この場合、ステップＳ２２５及びＳ２２６は、実行されなくてもよい。ステップＳ２３１は、画像登録部２５が実行してもよい。
【００８０】
続いて、ジョブ登録部２６は、画像ＩＤ及びジョブＩＤを指定して、サーバアプリ２２に対して、処理の実行要求を入力する（Ｓ２３４）。当該画像ＩＤ及び当該ジョブＩＤは、ステップＳ２３２において登録されたジョブ情報に係る画像ＩＤ又はジョブＩＤである。
【００８１】
続いて、サーバアプリ２２は、指定された画像ＩＤに対応するスキャン画像の複製（以下、「対象スキャン画像」という。）を画像記憶部２１４より取得する（Ｓ２３５、Ｓ２３６）。続いて、サーバアプリ２２は、指定されたジョブＩＤに対応するジョブ情報（以下、「対象ジョブ情報」という。）を、ジョブ記憶部２１５より取得する（Ｓ２３７、Ｓ２３８）。
【００８２】
続いて、サーバアプリ２２は、対象スキャン画像に対して、対象ジョブ情報に従った変換処理及び配信処理等を実行する（Ｓ２３９）。具体的には、対象ジョブ情報に、ＯＣＲ言語が指定されている場合、サーバアプリ２２は、対象スキャン画像に対する、当該ＯＣＲ言語に対応したＯＣＲ処理の実行をＯＣＲ処理部２７１に要求する（Ｓ２４０）。ＯＣＲ処理部２７１は、対象スキャン画像に対して、要求されたＯＣＲ処理を実行し、処理結果であるテキストファイルを出力する（Ｓ２４１）。
【００８３】
続いて、サーバアプリ２２は、対象ジョブ情報に係る組織ＩＤ、ユーザＩＤ、及び配信先に対応する認証キーを認証キー記憶部２１１より取得する（Ｓ２４２、Ｓ２４３）。続いて、サーバアプリ２２は、配信先情報と、取得された認証キーと、ＯＣＲ処理の結果を含むファイルとを指定して、配信処理の実行を配信処理部２７３に要求する（Ｓ２４４）。配信先情報とは、対象ジョブ情報に含まれている配信先及びフォルダ名をいう。なお、ＯＣＲ処理に続いて、翻訳処理が実行されてもよい。また、配信処理部２７３に対する配信処理の実行要求に指定されるファイルは、それまでの処理結果（例えば、ＯＣＲ処理結果）としてのデータが、対象ジョブ情報の文書種別の形式に変換されたデータを格納するファイルである。
【００８４】
配信処理部２７３は、当該配信先情報が示す配信先であるオンラインストレージシステム４０に対し、認証キー、指定された配信情報のフォルダ名、及びファイル等を指定して、保存要求を送信する（Ｓ２４５）。オンラインストレージシステム４０のファイル登録部４２は、当該保存要求に指定された認証キーに対応するユーザの権限によって、指定されたファイル等を、指定されたフォルダ名に係るフォルダに保存する（Ｓ２４６）。その結果、ファイル情報記憶部４４には、図１５に示されるような情報が記憶される。なお、認証キーに対応するユーザとは、認証キーに対応付けられて認証情報記憶部４３に記憶されているユーザＩＤに係るユーザをいう。
【００８５】
図１５は、ファイル情報記憶部の構成例を示す図である。図１５において、ファイル情報記憶部４４は、保存されたファイルごとに、文書ＩＤ、ファイル名、及びフォルダ名等を記憶する。文書ＩＤは、ファイル情報記憶部４４のレコードごとの識別情報である。ファイル名は、保存されたファイルのファイル名である。フォルダ名は、ファイルの保存先のフォルダの名前である。
【００８６】
以上で一回分のスキャン配信ジョブの実行は終了する。
【００８７】
続いて、画像記憶部２１４に記憶されているスキャン画像を再利用する際の処理手順について説明する。図１６は、スキャン画像の再利用処理の処理手順の一例を説明するためのシーケンス図である。図１６において、ユーザが操作する装置は、例えば、ユーザ端末３０である。
【００８８】
ステップＳ３０１において、ユーザ端末３０のブラウザ部３１は、ジョブ一覧画面の取得要求を、ＷｅｂＵＩ部２１に送信する。当該取得要求には、当該ユーザのユーザＩＤ又は組織ＩＤが指定される。すなわち、組織ＩＤのみが指定されてもよい。なお、ユーザＩＤの一意性が、組織ＩＤが共通する範囲でのみ保証される場合は、ユーザＩＤが指定されるときには、組織ＩＤも指定される。以下において、ユーザ情報は、組織ＩＤ、ユーザＩＤ、又は組織ＩＤ及びユーザＩＤをいう。
【００８９】
ＷｅｂＵＩ部２１は、当該取得要求に指定されたユーザ情報に対応付けられているジョブ情報の一覧を、ジョブ記憶部２１５より取得する（Ｓ３０２、Ｓ３０３）。続いて、ＷｅｂＵＩ部２１は、取得されたジョブ情報の一覧に基づいて、ジョブ一覧画面を表示させるＷｅｂページを生成し、当該Ｗｅｂページをブラウザ部３１に返信する（Ｓ３０４）。ブラウザ部３１は、当該Ｗｅｂページに基づいて、ジョブ一覧画面を表示させる。
【００９０】
図１７は、ジョブ一覧画面の表示例を示す図である。図１７において、ジョブ一覧画面５２０には、指定されたユーザ情報に対応付くジョブ情報の一覧が表示されている。また、ジョブ情報ごとに、編集ボタン５２１及び実行ボタン５２２が配置されている。実行ボタン５２２は、当該実行ボタン５２２に対応するジョブ情報に係るスキャン配信ジョブを再実行させるためのボタンである。編集ボタン５２１は、当該編集ボタン５２１に対応するジョブ情報の一部又は全部の項目の値を変更（編集）させるためのボタンである。例えば、いずれかの行の編集ボタン５２１が押下されると、ブラウザ部３１は、当該行に係るジョブ情報を編集対象としてジョブ編集画面を表示させる。
【００９１】
図１８は、ジョブ編集画面の表示例を示す図である。図１８において、ジョブ編集画面５３０では、編集対象とされたジョブ情報の各項目の値が編集可能な状態で表示される。ユーザは、例えば、ファイル形式の設定が間違えていたため、ファイル形式をＪＰＥＧからＰＤＦ形式に変更したり、ＯＣＲ処理の処理結果に不満であるため、ＯＣＲ言語を日本語から英語に変更したり、配信対象のデータについて色彩を確認する必要が生じたため、色の設定をモノクロからカラーに変更したり、配信対象のデータを別の場所で共有するため、配信先を変更したりすることができる。
【００９２】
編集が完了し、実行ボタン５３１が押下されると、ブラウザ部３１は、編集後のジョブ情報を指定して、スキャン配信ジョブの再実行要求をＷｅｂＵＩ部に送信する（Ｓ３０６）。なお、ジョブ一覧画面５２０において、いずれかの実行ボタン５２２が押下された場合、又はジョブ編集画面５３０において、編集が行われずに実行ボタン５３１が押下された場合、再実行要求には、未編集のジョブ情報が指定される。ＷｅｂＵＩ部２１は、当該再実行要求をサーバアプリ２２に通知する（Ｓ３０７）。
【００９３】
サーバアプリ２２は、当該再実行要求に指定されているジョブ情報に含まれている画像ＩＤに対応するスキャン画像の複製を、画像記憶部２１４より取得する（Ｓ３０８、Ｓ３０９）。続いて、ステップＳ３１０以降において、図１２のステップＳ２３９以降と同様に処理が実行される。但し、ジョブ情報の編集が行われている場合、実行される処理内容は、編集された項目に対応する部分について、前回の実行時と異なったものとなる。
【００９４】
上述したように、本実施の形態によれば、過去のスキャン配信ジョブのジョブ情報を流用し、当該ジョブ情報に係るスキャン画像を再利用して、新たなスキャン配信ジョブを実行することができる。その結果、ユーザが改めて機器１０を操作して、原稿をスキャンし直したりするといった作業の必要性を低減することができる。したがって、機器１０において入力される画像データに対する処理の利便性を向上させることができる。
【００９５】
なお、スキャン画像は、再利用される可能性が有るため、ＴＩＦＦ（Tagged Image File Format）等、汎用性の高い、又は他の形式に容易に変換可能がデータ形式であることが好ましい。
【００９６】
なお、本実施の形態において、サービス提供装置２０は、情報処理システムの一例である。画像登録部２５及びジョブ登録部２６は、受信部の一例である。サーバアプリ２２は、処理部の一例である。ＷｅｂＵＩ部２１は、返信部の一例である。ユーザＩＤ、又はユーザＩＤ及びテナントＩＤの組み合わせは、ユーザ情報の一例である。ジョブ記憶部２１５は、記憶部の一例である。
【００９７】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００９８】
１            情報処理システム
１０          機器
１１          コントローラ
１２          スキャナ
１３          プリンタ
１４          モデム
１５          操作パネル
１６          ネットワークインタフェース
１７          ＳＤカードスロット
２０          サービス提供装置
２１          ＷｅｂＵＩ部
２２          サーバアプリ
２３          認証キー登録部
２４          スキャン設定管理部
２５          画像登録部
２６          ジョブ登録部
２７          データ処理部
３０          ユーザ端末
３１          ブラウザ部
４０          オンラインストレージシステム
４１          ＷｅｂＵＩ部
４２          ファイル登録部
４３          認証情報記憶部
４４          ファイル情報記憶部
８０          ＳＤカード
１１１        ＣＰＵ
１１２        ＲＡＭ
１１３        ＲＯＭ
１１４        ＨＤＤ
１１５        ＮＶＲＡＭ
１２１        機器アプリ
１２２        情報転送部
１２３        機器設定記憶部
２００        ドライブ装置
２０１        記録媒体
２０２        補助記憶装置
２０３        メモリ装置
２０４        ＣＰＵ
２０５        インタフェース装置
２１１        認証キー記憶部
２１２        スキャン設定記憶部
２１３        機器情報記憶部
２１４        画像記憶部
２１５        ジョブ記憶部
２７１        ＯＣＲ処理部
２７２        翻訳処理部
２７３        配信処理部
Ｂ            バス
【先行技術文献】
【特許文献】
【００９９】
【特許文献１】特開２００８−２８８６８６号公報
【図１】
2015039111.tif 000003
【図２】
2015039111.tif 000004
【図３】
2015039111.tif 000005
【図４】
2015039111.tif 000006
【図５】
2015039111.tif 000007
【図６】
2015039111.tif 000008
【図７】
2015039111.tif 000009
【図８】
2015039111.tif 000010
【図９】
2015039111.tif 000011
【図１０】
2015039111.tif 000012
【図１１】
2015039111.tif 000013
【図１２】
2015039111.tif 000014
【図１３】
2015039111.tif 000015
【図１４】
2015039111.tif 000016
【図１５】
2015039111.tif 000017
【図１６】
2015039111.tif 000018
【図１７】
2015039111.tif 000019
【図１８】
2015039111.tif 000020